(57)【要約】  表面と組み合わせて使用するパッチが示されており、パッチは、粘着性表面を有する、光透過性であるバックシート、粘着性表面とは反対側の最外側表面、粘着性表面に付与される接着剤、接着剤に取り外し可能に取り付けられる剥離層、及び悪臭減少剤を含む。パッチの製造方法が示されており、該方法は、水分散可能なポリマーからバックシートを形成し、ポリマーに悪臭減少剤を付与し、バックシートに接着剤を塗布し、更に剥離ストリップを接着剤に粘着することを含む。【選択図】図１
2008539867.tif 000002
【特許請求の範囲】
【請求項１】
表面と組み合わせて使用するパッチであって、
粘着性表面を有し、光透過性であるバックシートと、
前記粘着性表面とは反対側の最外側表面と、
前記粘着性表面に付与される接着剤と、
前記接着剤に取り外し可能に取り付けられる剥離層と、
悪臭減少剤と、
から成ることを特徴とするパッチ。
【請求項２】
前記悪臭減少剤は、前記バックシートに組み込まれていることを特徴とする請求項１に記載のパッチ。
【請求項３】
前記悪臭減少剤は、前記接着剤に組み込まれていることを特徴とする請求項１に記載のパッチ。
【請求項４】
前記悪臭減少剤は、臭気吸収剤、臭気中和剤、又は臭気遮蔽剤の１つであることを特徴とする請求項１に記載のパッチ。
【請求項５】
前記悪臭減少剤は、芳香剤であることを特徴とする請求項１に記載のパッチ。
【請求項６】
前記バックシートは、水分散可能であることを特徴とする請求項１に記載のパッチ。
【請求項７】
前記バックシートは、ポリビニルアルコールを含むことを特徴とする請求項６に記載のパッチ。
【請求項８】
前記バックシートは、ポリラクト酸を有するポリビニルアルコールを含むことを特徴とする請求項６に記載のパッチ。
【請求項９】
前記接着剤は、光透過性であることを特徴とする請求項１に記載のパッチ。
【請求項１０】
前記最外側表面及び粘着性表面の１つに印刷される画像を含むことを特徴とする請求項１に記載のパッチ。
【請求項１１】
前記粘着表面に対向する前記バックシートに取り付けられるカバーシートを含むことを特徴とする請求項１に記載のパッチ。
【請求項１２】
前記カバーシートと前記バックシートとの間に芳香パッドを含むことを特徴とする請求項１１に記載のパッチ。
【請求項１３】
前記カバーシートと前記芳香パッドは、光透過性であることを特徴とする請求項１２に記載のパッチ。
【請求項１４】
悪臭減少用パッチ製品であって、
ディスペンサーと、
前記ディスペンサー内に配置される複数のパッチと、
から成り、各々のパッチは、
粘着性表面を有するバックシートと、
前記粘着性表面に塗布される接着剤と、
前記接着剤に取り外し可能に取り付けられる剥離層と、
前記パッチ内に組み込まれる悪臭減少剤と、
を有することを特徴とする製品。
【請求項１５】
前記ディスペンサーは、ベースとカバーとを含み、前記パッチは、前記カバーを開くことにより取り出し可能にされることを特徴とする請求項１４に記載の製品。
【請求項１６】
前記ディスペンサーは、外殻と受け皿とを含み、前記パッチは、前記外殻に対して前記受け皿を位置ずれさせることにより取り出し可能にされることを特徴とする請求項１４に記載の製品。
【請求項１７】
悪臭減少用パッチを販売する方法であって、
粘着性表面を有するバックシートと、
前記粘着性表面に塗布される接着剤と、
前記接着剤に取り外し可能に取り付けられる剥離層と、
を有するパッチを製造し、
ある量の悪臭減少剤を有する前記パッチを梱包する
ことを特徴とする方法。
【請求項１８】
前記悪臭減少剤は、商標を付けた芳香剤であることを特徴とする請求項１７に記載の方法。
【請求項１９】
悪臭減少用パッチの販売方法であって、
粘着性表面を有するバックシートと、
前記粘着性表面に塗布される接着剤と、
前記接着剤に取り外し可能に取り付けられる剥離層と、
前記パッチ内に組み込まれる悪臭減少剤と、
を有するパッチを形成し、
女性用衛生製品を製造し、
前記女性用衛生製品に前記パッチを梱包する
ことを特徴とする方法。
【請求項２０】
悪臭減少用パッチの販売方法であって、
粘着性表面を有するバックシートと、
前記粘着性表面に塗布される接着剤と、
前記接着剤に取り外し可能に取り付けられる剥離層と、
前記パッチ内に組み込まれる悪臭減少剤と、
を有するパッチを形成し、
前記パッチを梱包し、
女性用衛生品、芳香剤、清浄剤、家具、貯蔵、又は衣類製品に隣接して、店舗内に梱包を位置決めする
ことを特徴とする方法。
【発明の詳細な説明】
【技術分野】
【０００１】
本出願は、悪臭減少用パッチという名称で、２００５年５月６日に米国特許商標庁に出願された米国特許仮出願一連番号６０／６７８，４５０に基づく優先権を主張するものである。該特許仮出願一連番号６０／６７８，４５０の全体は、引用によりここに組み入れられる。
【背景技術】
【０００２】
本出願は、表面上又は表面近くの悪臭を減少させる装置及び方法に関するものである。
【０００３】
スプレー、粉末剤、ロール塗布、及びスティックを使用して試みられる臭気減少は、汚いものになりがちであり、制御した状態で付与しにくく、時間と共に急速に消失するものである。臭気減少の他の試みには、空気清浄用製品を含むが、これは大きく、重く、装飾的な装置であることが多く、及び／又は、機能させるために電気差込口に接続する必要がある。
【０００４】
【特許文献１】特許仮出願一連番号６０／６７８，４５０
【特許文献２】米国特許第６，３８４，２９７号公報
【特許文献３】米国特許第６，７１３，１４０号公報
【特許文献４】米国特許第６，４４４，７６１号公報
【特許文献５】米国特許第４，６００，４０４号公報
【特許文献６】米国特許第４，５２２，９６７号公報
【特許文献７】米国特許第３，８９１，５８４号公報
【特許文献８】特許出願ＷＯ９５／１８１１９１
【特許文献９】米国特許出願一連番号１０／４２７，８０９
【特許文献１０】米国特許出願一連番号１０／４２７，８０８
【特許文献１１】米国特許出願一連番号１１／０６９，３１８
【発明の開示】
【発明が解決しようとする課題】
【０００５】
本発明は、悪臭が存在するであろう領域に容易に設置することが可能で、異なる領域／表面に適合しやすいように、可撓性がある性質に形成され、使用者により置かれた場所に留まり、電気的差込口を必要とせず、容易に取り外し可能で、更に新しい香りに代える事が容易にできるような本発明の態様を提供することにより、この問題点を克服するものである。
【０００６】
本発明は、表面と組み合わせて使用するためのものであって、粘着性表面を有し、光透過性であるバックシート、粘着性表面とは反対側の最外側表面、粘着表面に付与される接着剤、接着剤に取り外し可能に取り付けられる剥離層、及び悪臭減少剤を含む、表面と組み合わせて使用するためのパッチを提供する。
【０００７】
本発明は、粘着性表面を有し、水分散可能なバックシート、粘着性表面とは反対側の最外側表面、粘着性表面に付与される接着剤を有する、表面と組み合わせて使用するためのパッチを提供する。該パッチは、更に接着剤に取り外し可能に取り付けられる剥離層、最外側表面と粘着性表面の１つに印刷される画像、及びパッチ内に組み込まれる悪臭減少剤を含む。
【０００８】
本発明は、粘着性表面を有し、水分散可能なバックシート、粘着性表面とは反対側の最外側表面、粘着性表面に付与される接着剤、接着剤に取り外し可能に取り付けられる剥離層、及び悪臭を減少するための手段を含む、表面と組み合わせて使用するためのパッチを提供する。
【０００９】
本発明は、水分散可能なポリマーからバックシートを形成し、ポリマーに悪臭減少剤を付与し、該バックシートに接着剤を添加し、更に接着剤に剥離ストリップを粘着することを含む、パッチの製造方法を提供する。
【００１０】
本発明は、ディスペンサーと該ディスペンサー内に配置された複数のパッチとを含み、各々のパッチは、粘着性表面を有するバックシート、粘着性表面に付与される接着剤、接着剤に取り外し可能に取り付けられる剥離層、及びパッチ内に組み込まれる悪臭減少剤を有する、悪臭減少用パッチ製品を提供する。
【００１１】
本発明は、粘着性表面を有するバックシート、粘着性表面に付与される接着剤、及び接着剤に取り外し可能に取り付けられる剥離層を有するパッチを製造し、更にある量の悪臭減少剤を有するパッチを梱包することを含む、悪臭減少用パッチの販売方法を提供する。
【００１２】
本発明は、粘着性表面を有するバックシート、粘着性表面に付与される接着剤、接着剤に取り外し可能に取り付けられる剥離層、及びパッチ内に組み込まれる悪臭減少剤を有するパッチを形成することを含む、悪臭減少用パッチの販売方法を提供する。該方法は又、女性用衛生製品を製造し、パッチを女性用衛生製品とともに梱包することを含む。
【００１３】
本発明は、粘着性表面を有するバックシート、粘着性表面に付与される接着剤、接着剤に取り外し可能に取り付けられる剥離層、及びパッチ内に組み込まれる悪臭減少剤を有するパッチを形成することを含む、悪臭減少用パッチの販売方法を提供する。該方法は又、パッチを梱包し、女性用衛生品、芳香剤、清浄剤、家具、貯蔵、又は衣類製品に隣接して、店舗内に梱包を位置決めすることを含む。
【００１４】
本発明は、粘着性表面を有し、水分散可能であるバックシート、粘着性表面とは反対側の最外側表面、粘着性表面に付与される接着剤、接着剤に取り外し可能に取り付けられる剥離層、及び悪臭減少剤を含む、表面と組み合わせて使用するためのパッチを提供する。
【００１５】
本発明の目的及び利点は、以下の説明及び添付された図面によって、当業者に明らかになるであろう。
【発明を実施するための最良の形態】
【００１６】
ここで用いられる「表面」及びその複数形は、一般的には、物体の外側境界又は最上部境界を意味する。
【００１７】
ここで用いられる「水洗廃棄可能な」という用語は、物体がトイレを通って、問題（例えば、詰り）なく典型的な公共下水システムのパイプ及びポンプを通って、うまく移送することができることを意味する。
【００１８】
「分散可能な」という用語は、一般的には、その材料の繊維が、接着解除又は溶解することが可能である材料を意味し、材料は最初のシートより小さい片に分解される結果となる。接着解除は、概して散乱又は分離という物理的変化である。溶解は、状態の変化であり、例えば水溶性ポリマーが水に溶解するように、材料が溶解することである。
【００１９】
「水分散可能な」という用語は、一般的には、繊維性不織複合構造体が、水性環境に置かれた時に、十分な時間を置くと、小さい片に分解又は溶解することを意味する。その結果として、一度分散した構造は、例えば腐敗及び公共下水処理システムなどの再生処理において、処理可能となる利点がある。望まれるならば、このような繊維性不織構造体は、水分散可能を一層高めることができ、又は、攪拌の使用及び／又は以下に述べるようなある種の材料を選択することによって分散を早めることができる。実際の時間は、少なくとも部分的に、特定の最終使用の設計基準による。
【００２０】
「洗濯可能な」という用語は、一般的には、布、洗濯機、又は乾燥機に悪影響を及ぼすことなく、洗濯及び乾燥を含む洗濯サイクルを通して、構造的一体性を大部分維持する物体を意味する。
【００２１】
「光透過性の」という用語は、一般的には、そこを通してはっきりと物体を見ることができるような透明であるという意味と、光が透過し、かつ拡散するので、そこを通してはっきりとは物体を見ることができないという意味の両方で、光を通過させることを意味する。
【００２２】
図１は、本発明の態様として、パッチ１０の例を示している。説明の目的のために、かつ、限定的な意味ではなく、パッチ１０はステッカーとして示されている。しかしながら、この同じパッチ１０を、他のいずれかのパッチ１０として説明することがある。
【００２３】
パッチ１０は、バックシート１５、接着剤２０、剥離層２５、及び悪臭減少剤３０を含む。パッチ１０は、下着、衣類、吸収性物品、又は引き出し、押し入れ、或いは下着、衣類、又は吸収性物品の他の貯蔵用コンテナと関連して使用される。パッチ１０は、悪臭減少を望まれる領域に付与するために使用することができる。例としては、衣類、肌、運動用バッグ、ロッカー、靴、ごみ箱／容器などの表面を含む。パッチ１０は、臭気が問題となるところ、又はその近くのあらゆる物品又は表面と関連して使用することができる。パッチ１０は、特に身体上で又は身体の近くで使用する場合は、可撓性があり柔軟であるように形成することができる。
【００２４】
パッチは、バックシート１５を含む。バックシート１５は、粘着性表面３５、外側表面４０、及びバックシート縁部４５を含む。バックシート１５は、円で示されているが、幾何学形状、動物形状、文字形状、物体形状、又はあらゆる他の形状を含む、あらゆる適当な形状とすることができる。本発明の他の態様においては、バックシート１５は、パッチ１０の意図する使用にとって適当な、滑らかな又は様々な手触りとすることができる。
【００２５】
本発明の一側面においては、バックシート１５は光透過性であり、光透過性バックシート１５は、パッチが表面に付与された時に、パッチをあまり目立たなくさせる。光透過性を付与する材料の例としては、バックシート１５は、ポリビニルアルコール（ＰＶＡ）から製造することができる。特定の例としては、ＰＶＡは、Ｇｏｈｓｅｎｏｌ  ＮＫ０５ＰＶＯＨ（７１−７５％は加水分解され、粘性は４．５−５．５ｍＰａ−ｓ）とすることができる。別の特定の例としては、ＰＶＡは、処理補助剤としてエチレンビニルアセテート（ＥＶＡ）と結合することができる（例えば、８０％がＰＶＯＨで２０％がＥＶＡ）。この態様においては、ＥＶＡは、Ｄｕｐｏｎｔ  Ｂｙｎｅｌ３８６０無水マレイン酸変成ＥＶＡとすることができる。本発明の他の態様においては、バックシート１５は、ポリエチレン、ポリプロピレン、ポリエチレン酸化物及びエチレンコアクリル樹脂、又はポリカプロラクトンなどの、重合化したエチレン及びアクリル酸のポリマーから製造することができる。
【００２６】
本発明の別の側面においては、バックシート１５は、本出願人の米国特許第６，３８４，２９７号及び第６，７１３，１４０号に記載されているような、水洗廃棄可能な又は水分散可能な材料を含むことができる。上記したようなＰＶＡからバックシート１５を形成すると、ＰＶＡは親水性であり、水に曝すと分解するので、水分散可能なバックシート１５を形成することとなる。本発明の別の態様においては、水洗廃棄可能なバックシート１５は、ポリラクト酸（ＰＬＡ）と共押出し形成又は積層されることにより、バックシート１５を製造して達成することができる。特定の例としては、ＰＬＡは、Ｎａｔｕｒｅ  Ｗｏｒｋｓ，ＬＬＣからのＰＬＡ６３００及び／又はＰＬＡ６２００のような物とすることができる。別の特定の例としては、ＰＬＡは、例えばＴｏｎｅ７６７のような、Ｕｎｉｏｎ  Ｃａｒｂｉｄｅから入手可能なポリカプロラクトンと結合することができる。本発明の他の態様においては、水洗廃棄可能なバックシート１５は、ビニルアルコールコポリマー、ポリエステル、ポリアクリルアミド、アクリル系ポリマー、ビニルポリマー、メタクリル系ポリマー及びコポリマー、ポリラクト酸、ポリカプロラクトン、ポリエステルアミド、ポリヒドロキシブチレート、ポリエステルアミド、セルロース系誘導ポリマー−ヒドロキシプロピルセルロース、ヒドロキシアルキルセルロース、ポリアルカレン酸化物、ナイロンコポリマー、アクリル酸コポリマー、及びポリエチレングリコールを含む材料からバックシート１５を製造することにより達成することができる。
【００２７】
本発明の他の側面においては、あらゆる適当なコフォーム材料、不織材料、又は織成材料が、バックシート１５のために使用することができる。本発明の一態様においては、バックシート１５は吸収性材料とする。バックシート１５は、予め延伸した弾性フィラメントを有する延伸接着型積層体（ＳＢＬ）、及び粘着性表面３５及び外側表面４０の各々にスパンボンド材料の一積層と１平方メートル当たりおよそ７０グラム（ｇｓｍ）の基本重量を有するメルトブローン材料を含むことができるが、あらゆる適当な不織材料も使用することができる。
【００２８】
本発明の他の側面においては、バックシート１５に選択される材料が通気性であるか、或いはパッチ１０により接触される皮膚又は他の表面に対して閉塞性とならないように、バックシート１５に孔を製造することにより通気性とすることができる。
【００２９】
本発明の他の側面においては、バックシート１５の材料は、綿、レーヨン、木質パルプ、不織布、発泡体スポンジ、及び熱可塑性材などのポリマー性基材を含むことができる。材料は、相互結合される熱可塑性繊維で形成される不織布で形成することができる。繊維は、ポリオレフィン（例えば、ポリエチレン又はポリプロピレン）、ポリスチレン、及びポリアミド（例えば、ナイロン）を含む種々異なる熱可塑性材料から形成することができる。更に、ポリウレタン及びブロックコポリマーを含む、エラストマー性である熱可塑性ポリマーが、繊維として使用することができる。あらゆるこれらの材料の混合物が、繊維を形成するために使用することができる。繊維内に１又はそれ以上の望ましい特性を達成するために、繊維を製造する時に挿入される添加剤（例えば、蝋、顔料、安定剤、及び充填剤）を含むことができる。
【００３０】
本発明の一側面においては、バックシート１５を洗濯可能にするように材料が選択される。洗濯可能なバックシート１５は、米国ウイスコンシン州のＰｌｉａｎｔ  Ｃｏｒｐｏｒａｔｉｏｎより入手可能な、１ミルのポリエチレンフィルムなどのポリエチレンフィルムから形成することができる。洗濯可能なバックシート１５は、Ｓｗａｎｓｏｎ  Ｐｌａｓｔｉｃｓより入手可能な４０ｇｓｍの通気性ポリフィルムなどの、通気性ポリフィルムから形成することができる。
【００３１】
図１及び２に示されているように、パッチ１０は又、パッチ１０を表面に取り外し可能に取り付けるために使用される接着剤２０を含む。接着剤２０は、バックシート１５の粘着性表面３５に塗布される。接着剤２０は、一度水中に置かれると、接着性が減少し、剥離するようなものとすることができる。衣類表面又はコンテナ表面に関連して使用するための本発明の一態様においては、接着剤２０は、ニュージャージー州ブリッジウオーターのＮａｔｉｏｎａｌ  Ｓｔａｒｃｈ＆Ｃｈｅｍｉｃａｌ  Ｃｏ．より入手可能な３４−５６０２ブロックコポリマーベースの接着剤とする。他の適当な水溶性接着剤は、米国特許第６，４４４，７６１号、第４，６００，４０４号、第４，５２２，９６７号、及び第３，８９１，５８４号に記載されたものを含む。特許公開ＷＯ９５／１８１１９１も又、本発明の態様で使用することができる水分散可能な接着剤化合物を示している。
【００３２】
本発明の他の態様においては、接着剤２０は、ＥＶＡ、ポリオレフィン、澱粉、スチレン系ブロックコポリマー（ＳＢＣ）、天然ゴム、ポリブチレン、アクリル樹脂、ポリウレタン、エポキシ樹脂、ポリエステル、ポリアミド、及びシリコンとすることができる。接着剤２０は、ＥＶＡ、ＳＢＣ、又は無定形のポリアルファオレフィン（ＡＰＡＯ）を含むホットメルト接着剤とすることができる。該接着剤２０は、乳濁液ベースの調合剤（例えば、ポリビニルアセテート（ＰＶＡｃ）、ＥＶＡ、及びスチレンブタジエンゴム及びネオプレンを含むゴム）、又は溶液ベースの調合剤（例えば、ＰＶＡ、Ｈｅｒｃｕｌｅｓより入手可能なＫＹＭＥＮＥ  ポリアミドエピクロロヒドリン（ＰＡＥ）樹脂、及びポリエチレン酸化物）などの合成接着剤とすることができる。接着剤２０は、ポリマー、濃化剤、充填剤、湿潤剤、及び湿潤促進剤を含む、天然成分と合成成分のいずれか、或いは両方を含む水ベースの接着剤とすることができる。接着剤２０は、とうもろこし、タピオカ、及び小麦などの澱粉、及びデキストリン及び動物性膠などのようなものを含む天然接着剤とすることができる。接着剤は、アクリル樹脂、エチレンエチル、アクリレート、ＰＶＡｃ、ＥＶＡ、ＰＶＡ、セルロースアセテート、ポリエチレン、ポリプロピレン、ポリエステル、又はポリ塩化ビニル（ＰＶＣ）を含む接着剤結合材とすることができる。本発明の他の態様においては、接着剤２０は、意図する表面にパッチを取り外し可能に取り付けるのに適当な、あらゆる他の接着剤とすることができる。
【００３３】
皮膚表面に関連して使用するための、本発明の別の側面においては、接着剤２０は、皮膚に優しく医学的に承認された身体用接着剤であるように選択することができる。本発明の他の態様においては、接着剤２０は、パッチの取り外しを容易にするために、パッチ１０上にパターン化することができる。例えば、接着剤２０は、スカラップパターン、星パターン、パッチ１０より小さい大きさの円、又はあらゆる他の適当なパターンで付与することができる。本発明の別の態様においては、パッチ１０に付与される接着剤２０の量は、パッチ１０の１又はそれ以上の部分で、取り外しに段階的に大きな抵抗を与えるものとすることができる。
【００３４】
図１に戻ると、パッチ１０は、接着剤２０に取り外し可能に取り付けられる剥離層２５を含み、接着剤２０が意図する表面以外に付着することを妨げる。剥離層２５は、一般的には、バックシート１５又は接着剤２０の大きさ及び形状に適合する大きさ及び形状とする。本発明の別の側面においては、該剥離層２５は、バックシート１５の縁部４５を越えて、放射状に外向きの方向に延びるタブ５０を含むことができ、パッチを使用する前に、バックシート１５から剥離層２５を取り外すのを容易にする。本発明の一態様においては、剥離層２５は、シリコン処理紙とすることができる。例えば、米国ニュージャージー州のＴｅｋｋｏｔｅ  Ｃｏｒｐｏｒａｔｉｏｎより供給される、１つの側を、比較対照用剥離添加剤を有するシリコン剥離組成物で被膜する、ＯＴＩＳ６１４６紙を含むＴｅｋｋｏｔｅ  ２４  ＫＳＡ  ２４＃Ｐｅｅｌ  Ｒｅｌｅａｓｅを使用することができる。本発明の別の態様においては、剥離層２５は、水溶性結合材（ＰＶＯＨ）及びシリコン剥離被膜を有する紙ベースシートを含む、水洗廃棄可能な構成とすることができる。このような剥離層２５の材料は、日本のＳａｎｓｅｉ  Ｅ＆Ｍ及び米国ウイスコンシン州のＩｎｔｅｒｎａｔｉｏｎａｌ  Ｐａｐｅｒより入手可能である。剥離層２５は、水溶性フィルム上の剥離被膜の薄い層とすることができる。
【００３５】
本発明の一つの側面においては、パッチ１０は、カバーシート５５を含むことができる。カバーシート５５は、構造接着剤を使用して、バックシート１５の外側表面４０に取り付けられる。この態様においては、バックシート１５に取り付けられていないカバーシート５５の表面が、パッチ１０の最外側表面となる。本発明の一態様においては、カバーシート５５は、レーヨン及びポリエチレンテレフタレート（ＰＥＴ）から形成することができる。カバーシート５５に使用される材料の特定の例としては、ドイツ国サンドラーのＦｕｊｉａｎ  Ｎａｎｆａｎｇ  Ｔｅｘｔｉｌｅ  Ｃｏ．より入手可能な７０ｍｍのスリット幅の、８５ｇｓｍの水素交絡したスパンレースである。本発明の他の態様においては、カバーシート５５は、上記したバックシート１５の材料のための種々異なる材料及び材料組み合わせと同じものから形成することができる。カバーシート５５が、バックシート１５と組み合わせて使用される場合は、カバーシート５５の材料は、バックシート１５の材料より、一層通気性であるものとすることができる。カバーシート５５の材料は、処理されずに置かれるか、或いは材料は、最初の親水性／疎水性特性を変えるように処理することができる。
【００３６】
本発明の別の側面においては、剥離層２５は、剥離層２５の剥離層縁部６５以外のところで、剥離層２５に取り付けられるタブ５０を含むことができる。タブ５０は、剥離層２５の直径に沿って、剥離層２５に取り付けられる半円形の延長部とすることができる。タブ５０は、剥離層２５のあらゆる位置に取り付けられて、剥離層２５とほぼ同一平面上となるように折り畳むことができ、使用者がタブ５０を引き起こして、パッチ１０から剥離層２５を取り外すためにタブ５０を使用することができる。
【００３７】
本発明の他の側面においては、カバーシート５５は、接着剤、圧力、熱、超音波、フック材料又は他の機械的或いは化学的手段を使用して、バックシート１５に取り付けることができる。本発明の一態様においては、カバーシート５５をバックシート１５に取り付けるために使用される構造接着剤は、Ｎａｔｉｏｎａｌ  Ｓｔａｒｃｈより入手可能なＥａｓｙ  Ｍｅｌｔ  ＃３４−５６１０構造接着剤とする。本発明の他の態様においては、接着剤２０として使用するための上記した接着剤は、カバーシート５５をバックシート１５に取り付けるために使用することができる。更に、カバーシート５５を取り付けるために使用される構造接着剤は水溶性とするか、或いは水溶性である接合処理（例えばポリマー、結合材など）を含むことができる。可溶性又は遅延分散可能な材料の例としては、係属中でかつ同一出願人の、Ａｂｓｏｒｂｅｎｔ  Ｂｉｎｄｅｒ  Ｃｏｍｐｏｓｉｔｉｏｎ  Ａｎｄ  Ｍｅｔｈｏｄ  Ｏｆ  Ｍａｋｉｎｇ  Ｉｔという米国特許出願一連番号１０／４２７，８０９及びＡｂｓｏｒｂｅｎｔ  Ａｒｔｉｃｌｅ  Ｗｉｔｈ  Ｓｅｌｆ−Ｆｏｒｍｉｎｇ  Ａｂｓｏｒｂｅｎｔ  Ｂｉｎｄｅｒ  Ｌａｙｅｒという一連番号１０／４２７，８０８に記載されている成分を有する結合材化合物を含む。適当な結合材化合物は、架橋結合した吸収性ポリマー、及び使用中に、製品の構造一体性を維持するような量で添加される分散剤を有するものを含む。このような分散剤は、水に浸漬させて直ぐに又はある程度の時間内でにかかわらず、製品がある点で構造一体性を失うような量で存在することができる。更に、あらゆる適当な接着剤が、カバーシート５５をバックシート１５に取り付けるために使用することができる。
【００３８】
本発明の一つの側面においては、パッチ１０は、バックシート１５とカバーシート５５との間に置かれる芳香パッド６０を含むことができる。芳香パッド６０は、単に悪臭減少剤３０のキャリアシートとする。芳香パッド６０は、芳香剤、臭気吸収材料、臭気中和剤、色変化指示器などのキャリアとすることができる。芳香パッド６０は、皮膚、汗、月経、尿、汚物などからの湿分を吸収することができる。本発明の一態様においては、芳香パッド６０は、レーヨン及びＰＥＴ又は澱粉から形成される。本発明の他の態様においては、芳香パッド６０は、カバーシート５５又はバックシート１５のいずれかを製造するのに使用される、上記したあらゆる適当な材料から形成することができる。
【００３９】
本発明の他の側面においては、パッチ１０は、引用によりここに組み入れられる、Ｄｅｖｉｃｅ  ｆｏｒ  Ｒｅｌｅａｓｉｎｇ  ａｎ  Ａｇｅｎｔ  ｔｏ  ｂｅ  Ｄｅｔｅｃｔｅｄ  Ｔｈｒｏｕｇｈ  Ｏｌｆａｃｔｉｏｎという係属中で同一出願人の米国特許出願一連番号１１／０６９，３１８に示された特性、構造、及び材料を組み込むことができる。
【００４０】
パッチ１０は、悪臭減少剤３０を含む。悪臭減少剤３０は、多くの場所において、多くの方法により、多くの放出機構を用いて、パッチに組み込むことができる。悪臭を減少する手段は、以下に述べる要素のあらゆる組み合わせを含む。
【００４１】
悪臭減少剤３０は、バックシート１５、カバーシート５５、芳香パッド６０、剥離層２５、又は接着時２０を形成するために使用される材料に製造することができる。バックシート１５、芳香パッド６０、又はカバーシート５５は、ポリマーを押出して、これら各々が形成される材料を形成して、製造することができる。本発明の一態様においては、悪臭減少剤３０は、ポリマーを押出す前にポリマーに添加されるか、又は混合される。本発明の別の態様においては、悪臭減少剤３０は、ポリマーを押出した後、ポリマーに添加される。本発明の更に別の態様においては、悪臭減少剤３０は、カプセル封入されてポリマーに添加される。本発明の別の態様においては、悪臭減少剤３０は、ポリマーにスプレー塗布される。本発明の他の態様においては、悪臭減少剤３０は、ポリマー、カバーシート５５上、芳香パッド６０上、又はバックシート１５上、又は梱包上、小袋上、コンテナ上、又はパッチ１０を囲む又は包装するティッシュ上に印刷又は同様に添加される。
【００４２】
本発明の他の側面においては、悪臭減少剤３０は、剥離層２５及び接着剤２０のいずれか又は両方に付与することができ、剥離層２５が接着剤２０から剥離される時に悪臭減少剤３０が放出されるか、或いは悪臭減少剤３０が接着剤２０と配合されて、バックシート１５又は剥離層２５に付与される。悪臭減少剤３０は、接着剤２０内でカプセル封入された形態とすることができ、製造工程中に、バックシート１５又は剥離層２５と接触して活性化することができる。
【００４３】
本発明の他の側面においては、悪臭減少剤３０は、持続性放出の形態でパッチ１０から放出されるように付与される。これは、悪臭減少剤３０のミクロカプセル封入により達成することができる。これは又、熱活性化型、湿分活性化型、汗活性化型、圧力活性化型、又は化学活性化型である悪臭減少剤３０を使用して達成することができる。
【００４４】
本発明の一側面においては、悪臭減少剤３０は、悪臭を遮蔽するために使用される芳香剤とする。芳香剤油の例としては、Ｇｉｖａｕｄａｎより入手可能なＤａｎｄｅｌｉｏｎ  Ｂｒｅｅｚｅ  ｗ／Ｊａｓｍｉｎｅ、Ｇｉｖａｕｄａｎより入手可能なＡｌｏｅを含むＴｏｔａｌｌｙ  Ｔ、Ｆｉｒｍｅｎｉｃｈより入手可能なＳｏｏｔｈｉｎｇ、及びＳｙｍｒｉｓｅより入手可能なＣｈａｍｏｍｉｌｅ  Ｄｒｅａｍｓを含む。
【００４５】
本発明の別の側面においては、悪臭減少剤３０は、悪臭の排除を介助するための臭気中和剤又は吸収剤とすることができる。臭気を中和及び／又は吸収することができる材料は、ナノ粒子、活性炭、亜鉛、及び酸化アルミニウム、沸石、酸ベースの中和剤（例えばレモンジュース）、陶土、及び他の金属イオン封鎖剤を含む。
【００４６】
悪臭減少剤３０は、細菌を死滅させる芳香剤又は臭気を遮蔽して取り除く芳香剤などの、生物活性芳香剤とすることができる。
【００４７】
本発明の別の側面においては、悪臭減少剤３０は、１又はそれ以上の芳香剤、臭気中和剤／吸収剤、又は他の適当な薬剤の組み合わせとすることができる。
【００４８】
本発明の一側面においては、パッチ１０は、パッチ１０上に印刷されるか、或いは確立される画像を含むことができる。画像は、あらゆる図案、写真、図形、ロゴ、又は商標付けられた画像とすることができる。画像は、カバーシート５５、芳香パッド６０、又はバックシート１５上に印刷するか、或いは付与することができる。本発明の別の態様においては、画像は、製品の商標に関連させることができる。
【００４９】
本発明の別の側面においては、悪臭減少剤３０は、パッチ１０に画像を印刷又は付与するために使用されるインク又は他の物質と混合することができる。この態様は、安定した、インク化学物質と親和性があるカプセル封入された芳香剤油を使用して達成することができる。本発明の更に別の態様においては、画像を形成するのに使用されるインク又は他の物質は、時間とともに、或いは別の要因で色を変化させることができる。
【００５０】
本発明の別の側面においては、パッチ１０は、パッチ１０の使用者に新しいパッチ１０が必要であることを示す臭気指示器を含むことができる。本発明の他の側面においては、パッチ１０は、パッチ１０の使用者に新しいパッチ１０が必要であることを示す、時間、温度、又は湿分指示器を含むことができる。温度指示器を有するパッチ１０の例としては、パッチ１０を製造するために使用される材料は、ポリエチレン、ポリプロピレン、ＰＥＴ、ポリエステル、又は他の熱可塑性フィルムを押し出す前に、熱可塑性顔料（ミクロカプセル封入された白色染料で使用されるもののような）又は１又はそれ以上のポリチオペンスなどの成分を、直接添加して形成することができる。パッチ１０は、着色染料と共に吸い上げストリップを付加することにより、時間又は湿分指示器を含むように製造することができる。
【００５１】
パッチ１０は、多くの方法で使用者に配布することができる。本発明の一つの側面においては、１又はそれ以上のパッチ１０が、コンパクト７０（図３参照）などの携帯用ディスペンサー内に、組み込むことができる。本発明の一側面においては、コンパクトは、ベース７２及び可バー７４を有するばね開放蓋付コンパクトとし、カバー７４を開けることによりその中のパッチ１０が取り出される。本発明の別の側面においては、ディスペンサーは、外殻８２及び受け皿８４を有するスライド式コンパクト８０（図４参照）とし、最初に受け皿８４内に保持されて、受け皿８４を滑らせるか又は回転させて、外殻８２内からその中にあるパッチ１０が取り出される。本発明の別の態様においては、ディスペンサーは、ハウジング９２及びドア９４を有するスナップ式コンパクト９０（図５参照）とする。パッチ１０は、最初にハウジング９２内に保持されて、ドア９４をスナップ開口することにより取り出される。本発明の別の態様においては、ディスペンサーは、袋９６及びフラップ９８を有する小袋９５（図６参照）とする。パッチ１０は、最初に袋９６内に保持されて、フラップ９８を開口することにより取り出される。
【００５２】
本発明の他の側面においては、剥離層２５は、１次元又は２次元の列で複数のパッチ１０を受け入れるのに十分な大きさを形成することができる。１次元の列は、ストリップ又はロールとして配列され、２次元の列はシート又はロールとして配列することができる。これらの態様のいずれにおいても、剥離層２５は、残りのストリップ、シート、又はロールから分離しやすいように、パッチ１０の間にミシン目をつけることができる。これらのいずれの態様においても、ストリップ、シート、又はロールは、ディスペンサーの中に置くことができる。
【００５３】
本発明の別の側面においては、悪臭減少剤３０なしで製造された１又はそれ以上のパッチ１０は、使用者が、好みの芳香剤などの使用者自身の悪臭減少剤３０を形成して使用することができるように、梱包して使用者に提供することができる。このような梱包は、このようなパッチ１０の使用方法の中に、使用者への指示を含むことができる。本発明の別の態様においては、スプレーボトル、小袋、パケット、又はあらゆる他の適当なコンテナにおける、１又はそれ以上の悪臭減少剤３０の量は、使用者が、使用者の望む量で及び時点でパッチ１０に悪臭減少剤３０が添加することが可能なように、このようなパッチ１０にキットで梱包することができる。この態様における悪臭減少剤３０は、商標をつけられた芳香剤又は商業的に一般的な芳香剤を含む芳香剤とすることができる。使用者は、芳香剤を混合し更に適合して、悪臭減少剤３０をあつらえることができる。
【００５４】
本発明の他の側面においては、パッチ１０は、小売している化粧品／芳香剤環境でのテスト基体として、携帯用香水アプリケーターとして、及び脱臭剤として使用することができる。
【００５５】
本発明の別の側面においては、パッチ１０は、パッチ１０を、女性用衛生製品、衣類、下着、家具、貯蔵用コンテナ、清浄剤、空気清浄機、又はあらゆる他の適当な製品とともに梱包して配布することができる。このような梱包は、女性用衛生製品の製造者により、このような製品の分配者により、又は他の適当な業者のいずれかによって実施することができる。
【００５６】
本発明の更に別の側面においては、パッチ１０は、１又はそれ以上のパッチ１０を梱包して、１又はそれ以上のパッチ１０の梱包を、女性用衛生製品、衣類、下着、家具、貯蔵用コンテナ、清浄剤、空気清浄機、又はあらゆる他の適当な製品に隣接して、店舗内に位置決めして配布することができる。
【００５７】
本発明の別の側面においては、使用者には、何の画像もない形でパッチ１０が供給される。使用者は、インクジェット又は他の適当な印刷機を使用して画像を印刷することができる。
【００５８】
本発明の別の側面においては、製品のディスペンサーは、１つをディスペンサーから引っ張り出すことにより１つのパッチ１０を取り出すことができ、安全かみそりの刃のディスペンサーと同様に、次のパッチが取り出される位置に移動するようにすることができる。パッチは又、ＰＥＺ印の飴玉のディスペンサーと同様に、レバーを動かすことによって１つを取り出すことができるようにすることができる。
【００５９】
使用に際しては、使用者はパッチ１０を得る。パッチ１０が梱包して又はコンパクト形態で与えられると、使用者は、パッチ１０を梱包又はコンパクトから取り出す。次に使用者は、パッチ１０から剥離層２５を取り外し、パッチ１０を下着、衣類、吸収性物品、又は引き出し、押し入れ、又は他のコンテナ、或いは臭気が問題となる所に又はその近くのあらゆる他の表面に貼り付ける。パッチ１０のバックシート１５が、水分散可能な材料で形成され、使用者がそのようなパッチ１０を洗濯可能な衣類に貼り付ける場合には、使用者が衣類を洗濯する間に、バックシート１５は分散して、衣類上にパッチ１０の何の形跡も残さない。
【実施例１】
【００６０】
本発明の態様の例においては、多数の洗濯可能なパッチ１０が製造された。バックシート１５は、スワンソンのＺｉＨｕａ  Ｓｈａｎｇｈａｉより入手可能な、幅が６８ｍｍで４０ｇｓｍの通気性ポリフィルムから形成された。カバーシート５５は、ドイツ国サンドラーのＦｕｊｉａｎ  Ｎａｎｆａｎｇ  Ｔｅｘｔｉｌｅ  Ｃｏ．より入手可能な７０ｍｍスリット幅で８５ｇｓｍの水素交絡されたスパンレースから形成された。バックシート１５は、Ｎａｔｉｏｎａｌ  Ｓｔａｒｃｈより入手可能なＥａｓｙ  Ｍｅｌｔ＃３４−５６１０構造接着剤を使用して、カバーシート５５に取り付けられた。Ｎａｔｉｏｎａｌ  Ｓｔａｒｃｈより入手可能なＤｉｓｐｏｍｅｌｔ＃５７０−５５０４形態の接着剤２０が、バックシート１５の粘着性表面３５に塗布された。Ｊｉａｎｇｓｈｕ  Ｔａｏｓｈｉ  Ｐａｐｅｒ  Ｃｏｍｐａｎｙより入手可能な基本重量４５ｇｓｍ、幅６６ｍｍの青写真の基本紙から形成された剥離層２５が、粘着性表面３５上の接着剤２０に取り付けられた。Ｇｉｖａｕｄａｎより入手可能なＤａｎｄｅｌｉｏｎ  Ｂｒｅｅｚｅ  ｗ／Ｊａｓｍｉｎｅ、Ｇｉｖａｕｄａｎより入手可能なＴｏｔａｌｌｙ  Ｔ  ｗｉｔｈ  Ａｌｏｅ、Ｆｉｒｍｅｎｉｃｈより入手可能なＳｏｏｔｈｉｎｇ、及びＳｙｍｒｉｓｅより入手可能なＣｈａｍｏｍｉｌｅ  Ｄｒｅａｍｓの各々の芳香剤が、パッチ１０に付与された。各々の完全なパッチ１０が、剥離ストリップをパッチ１０から取り外した後に、衣類に貼り付けられた。
【実施例２】
【００６１】
本発明の態様の例においては、多数の洗濯可能なパッチ１０が製造された。洗濯可能なバックシート１５は、米国ウイスコンシン州のＰｌｉａｎｔ  Ｃｏｒｐｏｒａｔｉｏｎより入手可能な、幅が６８ｍｍで１ミルのポリエチレンフィルムから形成された。カバーシート５５は、米国ウイスコンシン州のＫｉｍｂｅｒｌｙ−Ｃｌａｒｋ  Ｃｏｒｐｏｒａｔｉｏｎより入手可能な、７０ｍｍのスリット幅で０．４ｏｓｙスパンボンドから形成された。バックシート１５は、Ｎａｔｉｏｎａｌ  Ｓｔａｒｃｈより入手可能なＥａｓｙ  Ｍｅｌｔ＃３４−５６１０構造接着剤を使用して、カバーシート５５に取り付けられた。Ｎａｔｉｏｎａｌ  Ｓｔａｒｃｈより入手可能なＥａｓｙ  Ｍｅｌｔ＃３４−５６０２形態の接着剤２０が、バックシート１５の粘着性表面３５に塗布された。Ｈｕｔｈａｍａｋｉより入手可能な６６ｍｍ幅の共押出しされたポリプロピレン剥離ストリップから形成された剥離層２５が、粘着性表面３５上の接着剤２０に取り付けられた。Ｆｉｒｍｅｎｉｃｈ  Ｆｒｅｓｈ  Ｌｉｎｅｎ芳香剤が、パッチに付与された。各々の完全なパッチ１０が、剥離ストリップをパッチ１０から取り外した後に、衣類に貼り付けられた。
【実施例３】
【００６２】
本発明の態様の例においては、多数の洗濯可能なパッチ１０が製造された。洗濯可能なバックシート１５は、Ｓｗａｎｓｏｎ  Ｐｌａｓｔｉｃｓより入手可能な、幅が６８ｍｍで４０ｇｓｍの通気性ポリフィルムから形成された。カバーシート５５は、Ｋｉｍｂｅｒｌｙ−Ｃｌａｒｋより入手可能な、印刷可能な０．６ｏｓｙＳＭＳから形成された。バックシート１５は、Ｎａｔｉｏｎａｌ  Ｓｔａｒｃｈより入手可能なＥａｓｙ  Ｍｅｌｔ＃３４−５６１０構造接着剤を使用して、カバーシート５５に取り付けられた。Ｎａｔｉｏｎａｌ  Ｓｔａｒｃｈより入手可能なＥａｓｙ  Ｍｅｌｔ＃３４−５６０２形態の接着剤２０が、バックシート１５の粘着性表面３５に塗布された。Ｔｅｋｋｏｔｅより入手可能な基本重量４５ｇｓｍの基本紙から形成された剥離層２５が、粘着性表面３５上の接着剤２０に取り付けられた。Ｇｉｖａｕｄａｎより入手可能なＤａｎｄｅｌｉｏｎ  Ｂｒｅｅｚｅ  ｗ／Ｊａｓｍｉｎｅ、Ｇｉｖａｕｄａｎより入手可能なＴｏｔａｌｌｙ  Ｔ  ｗｉｔｈ  Ａｌｏｅ、Ｆｉｒｍｅｎｉｃｈより入手可能なＳｏｏｔｈｉｎｇ、Ｆｉｒｍｅｎｉｃｈより入手可能なＦｒｅｓｈ  Ｌｉｎｅｎ、及びＳｙｍｒｉｓｅより入手可能なＣｈａｍｏｍｉｌｅ  Ｄｒｅａｍｓの各々の芳香剤が、パッチ１０に添加された。各々の完全なパッチ１０が、剥離ストリップをパッチ１０から取り外した後に、衣類に貼り付けられた。
【実施例４】
【００６３】
本発明の態様の例においては、多数の分散可能なパッチ１０が製造された。バックシート１５が、米国カリフォルニア州のＰｌａｎｅｔ  Ｔｅｃｈｎｏｌｏｇｉｅｓより入手可能な、重量比約８０／２０でポリエチレン酸化物とエチレンコアクリル酸の混合物から形成された。カバーシート５５が、Ｇｏｈｓｅｎｏｌより入手可能なＰＶＡとＤｕｐｏｎｔより入手可能なＥＶＡから形成された。バックシート１５が、Ｎａｔｉｏｎａｌ  Ｓｔａｒｃｈより入手可能な＃３４−７３１Ａ水溶性構造接着剤を使用して、カバーシート５５に取り付けられた。Ｎａｔｉｏｎａｌ  Ｓｔａｒｃｈより入手可能なＥａｓｙ  Ｍｅｌｔ＃３４−５６０２形態の接着剤２０が、バックシート１５の粘着性表面３５に塗布された。Ｈｕｔｈａｍａｋｉより入手可能な６６ｍｍ幅の共押出しされたポリプロピレン剥離ストリップから形成された剥離層２５が、粘着性表面３５上の接着剤２０に取り付けられた。Ｆｉｒｍｅｎｉｃｈ  Ｆｒｅｓｈ  Ｌｉｎｅｎ芳香剤がパッチに付与された。各々の完全なパッチ１０が、剥離ストリップをパッチ１０から取り外した後に、衣類に貼り付けられた。
【００６４】
本発明の実施形態が、様々な特定の、説明のための側面及び技術を参照して述べられた。しかしながら、思想及び範囲内にあるままで、多くの変更及び修正を成すことができることが理解されるべきである。
【００６５】
したがって、本発明は、添付された特許請求の範囲の思想及び範囲内である、すべてのこのような代替物、修正及び変更を含むことを意図している。
【図面の簡単な説明】
【００６６】
【図１】本発明のパッチの拡大図である。
【図２】図１のパッチのバックシート及び接着剤の、切り取った詳細図である。
【図３】図１に示すパッチのためのコンテナの斜視図である。
【図４】図１に示すパッチのための代替的コンテナの斜視図である。
【図５】図１に示すパッチのための代替的コンテナの斜視図である。
【図６】図１に示すパッチのための代替的コンテナの平面図である。
【符号の説明】
【００６７】
１０  パッチ
１５  バックシート
２０  接着剤
２５  剥離層
３０  悪臭減少剤
４０  外側表面
５０  タブ
５５  カバーシート
６０  芳香パッド
７０  コンパクト
８０  スライド式コンパクト
９０  スナップ式コンパクト
９５  小袋
【図１】
2008539867.tif 000003
【図２】
2008539867.tif 000004
【図３】
2008539867.tif 000005
【図４】
2008539867.tif 000006
【図５】
2008539867.tif 000007
【図６】
2008539867.tif 000008
【国際調査報告】
2008539867.tif 000009
2008539867.tif 000010
2008539867.tif 000011
2008539867.tif 000012